(57)【特許請求の範囲】
【請求項１】
内部空間を有する筐体と、
前記内部空間において前記筐体の内壁面と対向するように配置され、複数段の棚部を有する第１ラックと、
前記第１ラックの棚部のそれぞれに配置される複数の第１蓄電池モジュールと、
前記第１ラックよりも前記内部空間の中央部側に配置され、複数段の棚部を有する第２ラックと、
前記第２ラックの棚部のそれぞれに配置される複数の第２蓄電池モジュールと、
前記第１蓄電池モジュールに配置され、前記内壁面と前記第１ラックとの隙間の気体が前記第１ラックと前記第２ラックとの隙間に供給されるように気体の流れを生成する第１ファン装置と、
前記第２蓄電池モジュールに配置され、前記第１ラックからの気体が前記第２ラックの側部から前記第２ラックに流入するように気体の流れを生成する第２ファン装置と、
を備える蓄電装置。
【請求項２】
前記第１ファン装置は、前記第１ラックと前記第２ラックとの隙間に面するように配置され、
前記第２ファン装置は、前記第１ラックと対向しないように配置される請求項１に記載の蓄電装置。
【請求項３】
前記筐体の底面と平行な面内において前記第２ラックをガイドするガイド装置を備える請求項１又は請求項２に記載の蓄電装置。
【請求項４】
前記第２ラックの上方から前記内部空間の気体が排出され、
前記第２ラックの上端部は、前記第１ラックの上端部よりも低い位置に配置される請求項１から請求項３のいずれか一項に記載の蓄電装置。
【請求項５】
前記第２ラックは、前記第１ラックと対向しないように、前記筐体の底面と平行な所定面内の第１軸と平行な第１方向を向く第１側部と、前記第１方向の反対方向を向く第２側部と、を有し、
前記第２ファン装置は、前記第１側部に配置され、
前記第２側部と対向するように配置される板部材を備える請求項１から請求項４のいずれか一項に記載の蓄電装置。
【請求項６】
前記第１ラックは、前記第１軸と直交する前記所定面内の第２軸と平行な方向に関して前記第２ラックの両側に配置され、
前記第２ラックは、前記第１軸と平行な方向に複数配置される請求項５に記載の蓄電装置。
【請求項７】
前記第２蓄電池モジュールは、前記第２軸と平行な方向に複数配置される請求項６に記載の蓄電装置。
【請求項８】
前記第１ラックは、前記内壁面と前記第２ラックとの間において、前記第２軸と平行な方向に複数配置される請求項６又は請求項７に記載の蓄電装置。
【請求項９】
前記第２軸と平行な方向に配置される複数の第１ラックは、前記内壁面と対向する端部側ラックと、前記第２ラックとの間で隙間を形成する中央部側ラックと、を含み、
前記端部側ラックの前記第１ファン装置は、前記内壁面と前記端部側ラックとの隙間の気体が前記中央部側ラックに供給されるように気体の流れを生成し、
前記中央部側ラックの前記第１ファン装置は、前記端部側ラックからの気体が前記第２ラックとの隙間に供給されるように気体の流れを生成する請求項６から請求項８のいずれか一項に記載の蓄電装置。
【請求項１０】
前記第１ラックの上方に配置され、前記内壁面と前記第１ラックとの隙間に気体を供給可能な給気口を有する給気ダクトと、
前記給気ダクトに気体を供給する空気調和装置と、
前記第２ラックの上方に配置され、前記第２ラックからの気体を排出する排気口を有する排気ダクトと、
を備える請求項１から請求項９のいずれか一項に記載の蓄電装置。
【請求項１１】
前記筐体は、空気調和設備を有する施設に設置され、
前記筐体の上部に形成され、前記空気調和設備の少なくとも一部が配置される開口を備える請求項１から請求項９のいずれか一項に記載の蓄電装置。
【請求項１２】
前記開口の内側に前記空気調和設備の気体吹出口が配置され、
前記気体吹出口からの気体をガイドするガイド部材を備える請求項１１に記載の蓄電装置。
【請求項１３】
内部空間を有する筐体と、
前記内部空間において前記筐体の内壁面と対向するように配置され、複数段の棚部を有する端部側ラックと、
前記筐体の底面と平行な所定面内の第２軸と平行な方向に関して、前記端部側ラックと前記内部空間の中心との間に配置され、複数段の棚部を有する中央部側ラックと、
前記端部側ラックの棚部及び前記中央部側ラックの棚部のそれぞれに配置される複数の蓄電池モジュールと、
前記端部側ラックの蓄電池モジュールに配置され、前記内壁面と前記端部側ラックとの隙間の気体が前記中央部側ラックに供給されるように気体の流れを生成する端部側ファン装置と、
前記中央部側ラックの蓄電池モジュールに配置され、前記端部側ラックからの気体が前記中心を含む前記内部空間の中央空間に流出するように気体の流れを生成する中央部側ファン装置と、
を備える蓄電装置。
【請求項１４】
前記端部側ラック及び前記中央部側ラックのそれぞれは、前記第２軸と平行な方向に関して前記中央空間の両側に配置され、
前記中央空間に配置される板部材を備える請求項１３に記載の蓄電装置。
【請求項１５】
前記端部側ラックの上方に配置され、前記内壁面と前記端部側ラックとの隙間に気体を供給可能な給気口を有する給気ダクトと、
前記給気ダクトに気体を供給する空気調和装置と、
前記中央空間の上方に配置され、前記中央部側ラックからの気体を排出する排気口を有する排気ダクトと、
を備える請求項１３又は請求項１４に記載の蓄電装置。
【請求項１６】
前記筐体は、空気調和設備を有する施設に設置され、
前記筐体の上部に形成され、前記空気調和設備の少なくとも一部が配置される開口を備える請求項１３又は請求項１４に記載の蓄電装置。
【請求項１７】
前記開口の内側に前記空気調和設備の気体吹出口が配置され、
前記気体吹出口からの気体をガイドするガイド部材を備える請求項１６に記載の蓄電装置。
【発明の詳細な説明】
【技術分野】
【０００１】
本発明は、蓄電装置に関する。
【背景技術】
【０００２】
蓄電装置において、例えば、特許文献１に記載されているように、冷媒が収容され冷媒により表面が冷却される冷却箱と、冷却箱の表面に沿うカバーにより形成される通気路と、通気路への空気の送り込み用のファンと、通気路内で冷却された冷気の吹き出し口とを有する冷却装置をコンテナに設置する技術がある。また、特許文献２に記載されているように、冷媒を収容する冷却室と、冷却室の外周壁に通風路を形成する断熱材カバーと、通風路の流出口に配置された送風機と、複数の吹出口を備えた送風ダクトと、送風機の風下にて送風ダクトに向かう傾斜ダクトとをコンテナに設ける技術がある。
【先行技術文献】
【特許文献】
【０００３】
【特許文献１】特許第２９３４８２３号公報
【特許文献２】特開２００４−２６１７４号公報
【発明の概要】
【発明が解決しようとする課題】
【０００４】
ところで、電力を蓄える蓄電装置において、コンテナのような筐体の内部に複数段の棚部を有するラックを設置し、このラックの複数段の棚部それぞれに蓄電池モジュールを搭載することが考えられている。このような蓄電装置によれば、より大きな電力を蓄電可能としつつ、製造、運搬および設置が容易になり、また、必要により設置場所を変更することが可能となる。このような蓄電装置においては、蓄電池モジュールを筐体の内部に収容することから、熱がこもり易く、蓄電池の冷却が課題となってくる。例えば充放電において蓄電池モジュールの温度が上昇した場合、蓄電池モジュールを良好に冷却しないと、蓄電池モジュールが劣化する可能性がある。
【０００５】
本発明は、筐体の内部に配置される複数の蓄電池モジュールを良好に冷却できる蓄電装置を提供することを目的とする。
【課題を解決するための手段】
【０００６】
本発明に係る蓄電装置は、内部空間を有する筐体と、前記内部空間において前記筐体の内壁面と対向するように配置され、複数段の棚部を有する第１ラックと、前記第１ラックの棚部のそれぞれに配置される複数の第１蓄電池モジュールと、前記第１ラックよりも前記内部空間の中央部側に配置され、複数段の棚部を有する第２ラックと、前記第２ラックの棚部のそれぞれに配置される複数の第２蓄電池モジュールと、前記第１蓄電池モジュールに配置され、前記内壁面と前記第１ラックとの隙間の気体が前記第１ラックと前記第２ラックとの隙間に供給されるように気体の流れを生成する第１ファン装置と、前記第２蓄電池モジュールに配置され、前記第１ラックからの気体が前記第２ラックの側部から前記第２ラックに流入するように気体の流れを生成する第２ファン装置と、を備える。
【０００７】
従って、内壁面と第１ラックとの隙間に供給された気体は、第１ファン装置により、第１ラックを通過して、第１ラックと第２ラックとの隙間に供給される。これにより、第１ラックの棚部に配置されている複数の第１蓄電池モジュールが効率良く冷却される。第１ラックと第２ラックとの隙間に供給された気体は、第２ファン装置により、第２ラックの側部から第２ラックに流入し、第２ラックを通過する。これにより、第２ラックの棚部に配置されている複数の第２蓄電池モジュールが効率良く冷却される。このように、本発明によれば、筐体は多数の蓄電池モジュールを収容可能であり、その筐体の第１ラック及び第２ラックに気体が供給されることによって、筐体の内部に配置される複数の蓄電池モジュールが効率良く冷却される。
【０００８】
本発明に係る蓄電装置において、前記第１ファン装置は、前記第１ラックと前記第２ラックとの隙間に面するように配置され、前記第２ファン装置は、前記第１ラックと対向しないように配置されてもよい。
【０００９】
従って、第１ファン装置により、第１ラックを通過して第１ラックと第２ラックとの隙間に流出した気体は、第２ファン装置により、第２ラックに流入して第２蓄電池モジュールと十分に熱交換を行って、第２蓄電池モジュールを効率良く冷却することができる。
【００１０】
本発明に係る蓄電装置において、前記筐体の底面と平行な面内において前記第２ラックをガイドするガイド装置を備えてもよい。
【００１１】
従って、例えば、メンテナンスにおいて、ガイド装置を使って第２ラックを円滑に移動することができ、メンテナンスの作業性を向上することができる。
【００１２】
本発明に係る蓄電装置において、前記第２ラックの上方から前記内部空間の気体が排出され、前記第２ラックの上端部は、前記第１ラックの上端部よりも低い位置に配置されてもよい。
【００１３】
従って、第２ラックの上方の空間が大きくなるため、第２ラックの上方から気体を円滑に排出することができる。
【００１４】
本発明に係る蓄電装置において、前記第２ラックは、前記第１ラックと対向しないように、前記筐体の底面と平行な所定面内の第１軸と平行な第１方向を向く第１側部と、前記第１方向の反対方向を向く第２側部と、を有し、前記第２ファン装置は、前記第１側部に配置され、前記第２側部と対向するように配置される板部材を備えてもよい。
【００１５】
従って、板部材により、第２ラックの第２側部から第２ラックに流入する気体の流れが整えられ、第２ラックの棚部に配置されている第２蓄電池モジュールは効率良く冷却される。
【００１６】
本発明に係る蓄電装置において、前記第１ラックは、前記第１軸と直交する前記所定面内の第２軸と平行な方向に関して前記第２ラックの両側に配置され、前記第２ラックは、前記第１軸と平行な方向に複数配置されてもよい。
【００１７】
従って、筐体の内部空間に多数の蓄電池モジュールを配置することができる。
【００１８】
本発明に係る蓄電装置において、前記第２蓄電池モジュールは、前記第２軸と平行な方向に複数配置されてもよい。
【００１９】
従って、筐体の内部空間に多数の第２蓄電池モジュールを配置することができる。
【００２０】
本発明に係る蓄電装置において、前記第１ラックは、前記内壁面と前記第２ラックとの間において、前記第２軸と平行な方向に複数配置されてもよい。
【００２１】
従って、筐体の内部空間に多数の第１蓄電池モジュールを配置することができる。
【００２２】
本発明に係る蓄電装置において、前記第２軸と平行な方向に配置される複数の第１ラックは、前記内壁面と対向する端部側ラックと、前記第２ラックとの間で隙間を形成する中央部側ラックと、を含み、前記端部側ラックの前記第１ファン装置は、前記内壁面と前記端部側ラックとの隙間の気体が前記中央部側ラックに供給されるように気体の流れを生成し、前記中央部側ラックの前記第１ファン装置は、前記端部側ラックからの気体が前記第２ラックとの隙間に供給されるように気体の流れを生成してもよい。
【００２３】
従って、筐体の内部空間に多数の第１蓄電池モジュールを配置することができる。また、端部側ラックの第１蓄電池モジュールを冷却した気体で中央部側ラックの第１蓄電池モジュールを冷却するため、端部側ラックの第１蓄電池モジュールを冷却した気体を有効活用することができる。
【００２４】
本発明に係る蓄電装置において、前記第１ラックの上方に配置され、前記内壁面と前記第１ラックとの隙間に気体を供給可能な給気口を有する給気ダクトと、前記給気ダクトに気体を供給する空気調和装置と、前記第２ラックの上方に配置され、前記第２ラックからの気体を排出する排気口を有する排気ダクトと、を備えてもよい。
【００２５】
従って、空気調和装置からの冷却用の気体が、給気ダクトの給気口を介して、内壁面と第１ラックとの隙間に供給されるため、第１ファン装置及び第２ファン装置の作動により、複数の蓄電池モジュールが良好に冷却される。また、複数の蓄電池モジュールのそれぞれを冷却し、第２ラックから排出された気体は、排気口を有する排気ダクトから円滑に排出される。
【００２６】
本発明に係る蓄電装置において、前記筐体は、空気調和設備を有する施設に設置され、前記筐体の上部に形成され、前記空気調和設備の少なくとも一部が配置される開口を備えてもよい。
【００２７】
従って、筐体が設置される施設の空気調和設備を有効活用して、蓄電池モジュールを冷却することができる。例えば、蓄電池モジュールの充放電条件が緩やかな場合など、蓄電池モジュールの発熱量が小さい場合、空気調和設備を使って、蓄電池モジュールを十分に冷却することができる。
【００２８】
本発明に係る蓄電装置において、前記開口の内側に前記空気調和設備の気体吹出口が配置され、前記気体吹出口からの気体をガイドするガイド部材を備えてもよい。
【００２９】
従って、ガイド部材を使って、気体吹出口からの冷却用気体を任意の方向に供給することができ、蓄電池モジュールを効率良く冷却することができる。
【００３０】
本発明に係る蓄電装置は、内部空間を有する筐体と、前記内部空間において前記筐体の内壁面と対向するように配置され、複数段の棚部を有する端部側ラックと、前記筐体の底面と平行な所定面内の第２軸と平行な方向に関して、前記端部側ラックと前記内部空間の中心との間に配置され、複数段の棚部を有する中央部側ラックと、前記端部側ラックの棚部及び前記中央部側ラックの棚部のそれぞれに配置される複数の蓄電池モジュールと、前記端部側ラックの蓄電池モジュールに配置され、前記内壁面と前記端部側ラックとの隙間の気体が前記中央部側ラックに供給されるように気体の流れを生成する端部側ファン装置と、
前記中央部側ラックの蓄電池モジュールに配置され、前記端部側ラックからの気体が前記中心を含む前記内部空間の中央空間に流出するように気体の流れを生成する中央部側ファン装置と、を備える。
【００３１】
従って、内壁面と端部側ラックとの隙間に供給された気体は、端部側ファン装置により、端部側ラックを通過して、中央部側ラックに供給される。これにより、端部側ラックの棚部に配置されている複数の蓄電池モジュールが効率良く冷却される。中央部側ラックに供給された気体は、中央部側ファン装置により、中央部側ラックを通過して、中央空間に流出する。これにより、中央部側ラックの棚部に配置されている複数の蓄電池モジュールが効率良く冷却される。このように、本発明によれば、筐体は多数の蓄電池モジュールを収容可能であり、その筐体の端部側ラック及び中央部側ラックに気体が供給されることによって、筐体の内部に配置される複数の蓄電池モジュールが効率良く冷却される。また、端部側ラックの蓄電池モジュールを冷却した気体で中央部側ラックの蓄電池モジュールを冷却するため、端部側ラックの蓄電池モジュールを冷却した気体を有効活用することができる。
【００３２】
本発明に係る蓄電装置において、前記端部側ラック及び前記中央部側ラックのそれぞれは、前記第２軸と平行な方向に関して前記中央空間の両側に配置され、前記中央空間に配置される板部材を備えてもよい。
【００３３】
従って、板部材により、中央空間の両側の中央部側ラックのそれぞれから流出した気体の流れが整えられ、複数の蓄電池モジュールは効率良く冷却される。
【００３４】
本発明に係る蓄電装置において、前記端部側ラックの上方に配置され、前記内壁面と前記端部側ラックとの隙間に気体を供給可能な給気口を有する給気ダクトと、前記給気ダクトに気体を供給する空気調和装置と、前記中央空間の上方に配置され、前記中央部側ラックからの気体を排出する排気口を有する排気ダクトと、を備えてもよい。
【００３５】
従って、空気調和装置からの冷却用の気体が、給気ダクトの給気口を介して、内壁面と端部側ラックとの隙間に供給されるため、第１ファン装置及び第２ファン装置の作動により、複数の蓄電池モジュールが良好に冷却される。また、複数の蓄電池モジュールのそれぞれを冷却し、中央部側ラックから排出された気体は、排気口を有する排気ダクトから円滑に排出される。
【００３６】
本発明に係る蓄電装置において、前記筐体は、空気調和設備を有する施設に設置され、前記筐体の上部に形成され、前記空気調和設備の少なくとも一部が配置される開口を備えてもよい。
【００３７】
従って、筐体が設置される施設の空気調和設備を有効活用して、蓄電池モジュールを冷却することができる。例えば、蓄電池モジュールの充放電条件が緩やかな場合など、蓄電池モジュールの発熱量が小さい場合、空気調和設備を使って、蓄電池モジュールを十分に冷却することができる。
【００３８】
本発明に係る蓄電装置において、前記開口の内側に前記空気調和設備の気体吹出口が配置され、前記気体吹出口からの気体をガイドするガイド部材を備えてもよい。
【００３９】
従って、ガイド部材を使って、気体吹出口からの冷却用気体を任意の方向に供給することができ、蓄電池モジュールを効率良く冷却することができる。
【発明の効果】
【００４０】
本発明に係る蓄電装置によれば、筐体の内部に配置される複数の蓄電池モジュールを良好に冷却することができる。
【図面の簡単な説明】
【００４１】
【図１】図１は、第１実施形態に係る蓄電装置の一例を示すＸＹ平面と平行な断面図である。
【図２】図２は、第１実施形態に係る蓄電装置の一例を示すＸＺ平面と平行な断面図である。
【図３】図３は、第１実施形態に係る蓄電装置の一例を示すＹＺ平面と平行な断面図である。
【図４】図４は、第１実施形態に係る蓄電装置の一部を拡大したＸＹ平面と平行な断面図である。
【図５】図５は、第１実施形態に係る蓄電装置の一部を示す側面図である。
【図６】図６は、図３の一部を拡大した図である。
【図７】図７は、第１実施形態に係る第２ラック及びその第２ラックに配置されている第２蓄電池モジュールを拡大した図である。
【図８】図８は、第２実施形態に係る蓄電装置の一例を示す模式図である。
【図９】図９は、第３実施形態に係る蓄電装置の一例を示す模式図である。
【図１０】図１０は、第４実施形態に係る蓄電装置の一例を示す模式図である。
【図１１】図１１は、第５実施形態に係る蓄電装置の一例を示す模式図である。
【図１２】図１２は、第６実施形態に係る蓄電装置の一例を示す模式図である。
【発明を実施するための形態】
【００４２】
以下、本発明に係る実施形態について図面を参照しながら説明するが、本発明はこれに限定されない。以下で説明する各実施形態の要件は、適宜組み合わせることができる。また、一部の構成要素を用いない場合もある。また、下記の実施形態における構成要素には、当業者が置換可能かつ容易なもの、あるいは実質的に同一のものが含まれる。
【００４３】
以下の説明においては、ＸＹＺ直交座標系を設定し、このＸＹＺ直交座標系を参照しつつ各部の位置関係について説明する。水平面内の一方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。また、Ｘ軸、Ｙ軸、及びＺ軸まわりの回転（傾斜）方向をそれぞれ、θＸ、θＹ、及びθＺ方向とする。本実施形態において、ＸＹ平面は、水平面と平行である。ＸＹ平面は、Ｘ軸及びＹ軸のそれぞれを含む。
【００４４】
＜第１実施形態＞
第１実施形態について説明する。図１は、本実施形態に係る蓄電装置１０の一例を示すＸＹ平面と平行な断面図である。図２は、本実施形態に係る蓄電装置１０の一例を示すＸＺ平面と平行な断面図であって、図１のＡ−Ａ線矢視図に相当する。図３は、本実施形態に係る蓄電装置１０の一例を示すＹＺ平面と平行な断面図であって、図１のＢ−Ｂ線矢視図に相当する。図４は、本実施形態に係る蓄電装置１０の一部を拡大したＸＹ平面と平行な断面図であって、図３のＣ−Ｃ線矢視図に相当する。図５は、本実施形態に係る蓄電装置１０の一部を示す側面図でであって、図４のＤ−Ｄ線矢視図に相当する。図６は、図３のＥ部を拡大した図である。
【００４５】
蓄電装置１０は、内部空間ＳＰを有するコンテナ（筐体）１１と、内部空間ＳＰに配置され、複数段の棚部３１を有する第１ラック３０と、第１ラック３０の棚部３１のそれぞれに配置される複数の第１蓄電池モジュール４５と、内部空間ＳＰに配置され、複数段の棚部６１を有する第２ラック６０と、第２ラック６０の棚部６１のそれぞれに配置される複数の第２蓄電池モジュール７５と、第１ラック３０の上方に配置され、気体を供給可能な給気口１１１を有する給気ダクト１０１と、第１ラック３０の上方に配置され、気体を供給可能な給気口１１５を有する給気ダクト１０２と、給気ダクト１０１及び給気ダクト１０２のそれぞれに気体を供給する空気調和装置１００と、第２ラック６０の上方に配置され、気体を排出する排気口１３０を有する排気ダクト１０５とを備えている。
【００４６】
コンテナ１１は、蓄電装置１０の外殻を構成する筐体である。蓄電装置１０の外殻がコンテナ１１で構成されていることにより、フォークリフト及びクレーンのような建設機械は、蓄電装置１０を移送可能である。トレーラー、鉄道のコンテナ車、及び船舶のような運搬機械は、蓄電装置１０を運搬可能である。
【００４７】
コンテナ１１は、ＸＹ平面内において長方形状の底部１５と、底部１５の＋Ｘ側の端部と接続された側壁部１６と、底部１５の−Ｘ側の端部と接続された側壁部１７と、底部１５−Ｙ側の端部と接続された側壁部１８と、底部１５の＋Ｙ側の端部と接続された側壁部１９と、側壁部１６、側壁部１７、側壁部１８、及び側壁部１９それぞれの上端部を結ぶように配置された天井部２０とを有する。
【００４８】
本実施形態において、底部１５は、Ｘ軸方向に長い。底部１５は、内部空間ＳＰに面し、ＸＹ平面（水平面）とほぼ平行な底面１５ａを有する。天井部２０は、内部空間ＳＰに面し、底面１５ａと対向可能な天井面２０ａを有する。底面１５ａと天井面２０ａとは、ほぼ平行である。側壁部１６は、内部空間ＳＰに面する内壁面１６ａを有する。側壁部１７は、内部空間ＳＰに面し、内壁面１６ａと対向可能な内壁面１７ａを有する。側壁部１８は、内部空間ＳＰに面する内壁面１８ａを有する。側壁部１９は、内部空間ＳＰに面し、内壁面１８ａと対向可能な内壁面１９ａを有する。
【００４９】
側壁部１６は、開口と、その開口を開閉する一対の扉部２２及び扉部２３とを有する。側壁部１８は、第１の開口と、その第１の開口を開閉する扉部２５と、第２の開口と、その第２の開口を開閉する扉部２６とを有する。
【００５０】
第１ラック３０は、コンテナ１１の内部空間ＳＰに配置される。第１ラック３０は、複数段（本実施形態においては８段）の棚部３１と、複数の棚部３１よりも上方に配置される天板部３２とを有する。複数の棚部３１は、Ｚ軸方向に配置される。複数の棚部３１の構造（形状及び大きさを含む）は同一である。
【００５１】
第１ラック３０は、内部空間ＳＰに複数（本実施形態においては１０台）配置される。複数の第１ラック３０の構造（形状及び大きさを含む）は同一である。
【００５２】
複数の第１ラック３０のうち、一部の第１ラック３０（本実施形態においては５台の第１ラック３０）は、側壁部１８の内壁面１８ａと対向するように配置され、一部の第１ラック３０（本実施形態においては５台の第１ラック３０）は、側壁部１９の内壁面１９ａと対向するように配置される。以下の説明において、内壁面１８ａと対向する複数の第１ラック３０を合わせて適宜、第１ラック列３５、と称し、内壁面１９ａと対向する複数の第１ラック３０を合わせて適宜、第１ラック列３６、と称する。
【００５３】
第１ラック列３５の複数の第１ラック３０は、内壁面１８ａと対向するように、内壁面１８ａに沿ってＸ軸方向に配置される。第１ラック列３６の複数の第１ラック３０は、内壁面１９ａと対向するように、内壁面１９ａに沿ってＸ軸方向に配置される。
【００５４】
側壁部１８の内壁面１８ａと第１ラック列３５の第１ラック３０との間に隙間３８が設けられる。側壁部１９の内壁面１９ａと第１ラック列３６の第１ラック３０との間に隙間３９が設けられる。
【００５５】
第１蓄電池モジュール４５は、複数のリチウムイオン電池セルを有するリチウムイオン蓄電池モジュールを含む。第１ラック３０の複数の棚部３１のそれぞれに、複数の第１蓄電池モジュール４５が配置される。１つの棚部３１において、第１蓄電池モジュール４５は、Ｘ軸方向に複数配置される。本実施形態においては、１つの棚部３１に７台の第１蓄電池モジュール４５が配置される。
【００５６】
棚部３１に配置された第１蓄電池モジュール４５と、その第１蓄電池モジュール４５の直上の棚部３１（又は天板部３２）との間に、第１通路４６が設けられる。第１通路４６の一端部に流入口４８が設けられ、他端部に流出口４９が設けられる。流入口４８から第１通路４６に流入した気体は、第１通路４６を流れて、流出口４９から流出する。
【００５７】
第１蓄電池モジュール４５は、第１ファン装置４７を有する。第１ファン装置４７は、流出口４９に設けられる。第１蓄電池モジュール４５に配置された第１ファン装置４７が作動することにより、第１通路４６に気体の流れが生成される。
【００５８】
蓄電装置１０は、内部空間ＳＰにおいて第１ラック列３５の＋Ｘ側（側壁部１６側）に配置された制御ユニット５１と、−Ｘ側（側壁部１７側）に配置された制御ユニット５２とを備えている。制御ユニット５１及び制御ユニット５２は、第１ラック列３５の第１蓄電池モジュール４５を制御する。また、蓄電装置１０は、内部空間ＳＰにおいて第１ラック列３６の＋Ｘ側（側壁部１６側）に配置された制御ユニット５３と、−Ｘ側（側壁部１７側）に配置された制御ユニット５４とを備えている。制御ユニット５３及び制御ユニット５４は、第１ラック列３６の第１蓄電池モジュール４５を制御する。
【００５９】
なお、側壁部１８に設けられた扉部２５と扉部２６との間の範囲に第１ラック列３５、第１ラック列３６、制御ユニット５１、及び制御ユニット５２が配置される。
【００６０】
第２ラック６０は、コンテナ１１の内部空間ＳＰに配置される。第２ラック６０は、複数段（本実施形態においては６段）の棚部６１と、複数の棚部６１よりも上方に配置される天板部６２とを有する。複数の棚部６１は、Ｚ軸方向に配置される。複数の棚部６１の構造（形状及び大きさを含む）は同一である。
【００６１】
本実施形態において、第２ラック６０は、内部空間ＳＰにおいて、第１ラック３０よりも内部空間ＳＰの中央部側に配置される。第１ラック３０は、Ｙ軸方向に関して、第２ラック６０の両側に配置される。第１ラック列３５の第１ラック３０は、内部空間ＳＰの−Ｙ側の端に配置され、第１ラック列３６の第１ラック３０は、内部空間ＳＰの＋Ｙ側の端に配置される。第２ラック６０は、Ｙ軸方向に関して、第１ラック列３５の第１ラック３０と第１ラック列３６の第１ラック３０との間に配置される。
【００６２】
第２ラック６０は、内部空間ＳＰに複数（本実施形態においては１０台）配置される。複数の第２ラック６０の構造（形状及び大きさを含む）は同一である。第２ラック６０は、第１ラック列３５と第１ラック列３６との間において、Ｘ軸方向に複数配置される。第２ラック６０は、間隔をあけて、Ｘ軸方向に複数配置される。以下の説明において、Ｘ軸方向に配置される複数の第２ラック６０を合わせて適宜、第２ラック列６５、と称する。
【００６３】
第２ラック６０は、第１ラック列３５の第１ラック３０及び第１ラック列３６の第１ラック３０のそれぞれから離れて配置される。第１ラック列３５の第１ラック３０と第２ラック列６５の第２ラック６０との間に隙間４０が設けられる。第１ラック列３６の第１ラック３０と第２ラック列６５の第２ラック６０との間に隙間４１が設けられる。
【００６４】
第２蓄電池モジュール７５は、複数のリチウムイオン電池セルを有するリチウムイオン蓄電池モジュールを含む。第２ラック６０の複数の棚部６１のそれぞれに、複数の第２蓄電池モジュール７５が配置される。１つの棚部６１において、第２蓄電池モジュール７５は、Ｙ軸方向に複数配置される。本実施形態においては、１つの棚部６１に２台の第２蓄電池モジュール７５が配置される。
【００６５】
棚部６１に配置された第２蓄電池モジュール７５と、その第２蓄電池モジュール７５の直上の棚部６１（又は天板部６２）との間に、第２通路７６が設けられる。第２通路７６の一端部に流入口７８が設けられ、他端部に流出口７９が設けられる。流入口７８から第２通路７６に流入した気体は、第２通路７６を流れて、流出口７９から流出する。
【００６６】
第２蓄電池モジュール７５は、第２ファン装置７７を有する。第２ファン装置７７は、流出口７９に設けられる。第２蓄電池モジュール７５に配置された第２ファン装置７７が作動することにより、第２通路７６に気体の流れが生成される。
【００６７】
蓄電装置１０は、内部空間ＳＰにおいて第２ラック列６５の＋Ｘ側（側壁部１６側）に配置された制御ユニット８１と、−Ｘ側（側壁部１７側）に配置された制御ユニット８２とを備えている。制御ユニット８１及び制御ユニット８２は、第２ラック列６５の第２蓄電池モジュール７５を制御する。
【００６８】
なお、側壁部１８に設けられた扉部２５と扉部２６との間の範囲に第２ラック列６５、制御ユニット８１、及び制御ユニット８２が配置される。
【００６９】
給気ダクト１０１及び給気ダクト１０２は、空気調和装置１００からの冷却用気体をコンテナ１１の内部空間ＳＰに供給する。給気ダクト１０１及び給気ダクト１０２のそれぞれは、内部空間ＳＰの上方に配置される。給気ダクト１０１は、内部空間ＳＰの中心よりも−Ｙ側（側壁部１８側）に配置され、給気ダクト１０２は、内部空間ＳＰの中心よりも＋Ｙ側（側壁部１９側）に配置される。
【００７０】
給気ダクト１０１は、ダクト部材１０３及び天井部２０により形成される。図２に示すように、給気ダクト１０１は、第１ラック列３５の上方において、第１ラック列３５に沿って形成される。給気ダクト１０１は、Ｘ軸方向に長い。
【００７１】
図３に示すように、給気ダクト１０１は、側壁部１８の内壁面１８ａと第１ラック列３５の第１ラック３０との隙間３８に気体を供給可能な給気口１１１を有する。給気口１１１は、コンテナ１１の天井部２０に形成される。給気口１１１は、隙間３８の上方から、隙間３８に向かって気体を供給する。
【００７２】
給気口１１１は、隙間３８の上方において、Ｙ軸方向に関して第１ラック列３５と内壁面１８ａとの間に形成される。図２に示すように、給気口１１１は、Ｘ軸方向に長いスリット状である。給気口１１１は、隙間３８に沿って形成されている。
【００７３】
図２及び図３に示すように、給気ダクト１０１は、空気調和装置１００からの冷却用気体が導入される導入口１１２を有する。導入口１１２は、Ｘ軸方向に関して給気ダクト１０１の一端部に形成されている。導入口１１２に、空気調和装置１００からの給気ダクト１０１への冷却用気体の流量を調整するバタフライ弁を含む流量調整機構１１３が設けられている。
【００７４】
Ｘ軸方向に関する給気口１１１の両端位置は、第１ラック列３５の両端位置、及び隙間３８の両端位置のそれぞれとほぼ一致する。図６に示すように、給気口１１１から隙間３８に供給される気体の少なくとも一部は、Ｚ軸方向に配置された複数の棚部３１のうち、最も上側の棚部３１に吹き付けられる。側壁部１８の内壁面１８ａと第１ラック列３５の第１ラック３０との隙間３８の幅Ｗ１と、給気口１１１の幅Ｗ２と、第１ラック列３５の第１ラック３０の内壁面１８ａ側の端部と給気口１１１との距離Ｌと、最も上側の棚部３１から給気口１１１までの高さＨとの関係は、Ｌ／Ｗ１＞０．０５、Ｗ２／Ｗ１＞０．０５、となっている。例えば、Ｗ１は５０〜３００ｍｍ、Ｗ２は２０ｍｍ、Ｌは１５〜１４０ｍｍとなっている。
【００７５】
給気ダクト１０２は、給気ダクト１０１と同等の構造を有する。給気ダクト１０２は、第１ラック列３６の上方において、第１ラック列３６の第１ラック３０に沿って配置される。給気ダクト１０２は、側壁部１９の内壁面１９ａと第１ラック列３６の第１ラック３０との隙間３９に気体を供給可能な給気口１１５を有する。給気口１１５は、コンテナ１１の天井部２０に形成される。給気口１１５は、隙間３９の上方から、隙間３９に向かって気体を供給する。
【００７６】
給気口１１５は、隙間３９の上方において、Ｙ軸方向に関して第１ラック列３６と内壁面１９ａとの間に形成される。給気口１１５は、Ｘ軸方向に長いスリット状である。給気口１１５は、隙間３９に沿って形成されている。
【００７７】
給気ダクト１０２は、空気調和装置１００からの冷却気体が導入される導入口１１６を有する。導入口１１６は、Ｘ軸方向に関して給気ダクト１０２の一端部に形成されている。導入口１１６に、空気調和装置１００から給気ダクト１０２への冷却用気体の流量を調整するバタフライ弁を含む流量調整機構１１７が設けられている。
【００７８】
給気口１１５と第１ラック列３６と隙間３９と側壁部１９の内壁面１９ａとの関係は、上述した給気口１１１と第１ラック列３５と隙間３８と側壁部１８の内壁面１８ａとの関係と同様である。すなわち、Ｘ軸方向に関する給気口１１５の両端位置が、第１ラック列３６の両端位置、及び隙間３９の両端位置のそれぞれとほぼ一致する。
【００７９】
給気口１１１から内部空間ＳＰに供給される気体の総量は、第１ラック列３５の全ての第１ファン装置４７の駆動により吸い込む気体の総量よりも小さい。同様に、給気口１１５から内部空間ＳＰに供給される気体の総量は、第１ラック列３６の全ての第１ファン装置４７の駆動により吸い込む気体の総量よりも小さい。
【００８０】
排気ダクト１０５は、コンテナ１１の内部空間ＳＰの気体を排出する。排気ダクト１０５は、内部空間ＳＰの上方に配置される。排気ダクト１０５は、給気ダクト１０１と給気ダクト１０２との間において、給気ダクト１０１及び給気ダクト１０２に沿って配置される。Ｘ軸方向に関する排気ダクト１０５の寸法は、第１ラック列３５、第１ラック列３６、及び第２ラック列６５それぞれの寸法とほぼ同一である。
【００８１】
排気ダクト１０５は、ダクト部材１０６及び天井部２０により形成される。排気ダクト１０５は、天井部２０に形成された複数の排気口１３０を有する。排気ダクト１０５の排気口１３０は、第２ラック６０の上方に配置され、その第２ラック６０の上方から内部空間ＳＰの気体が排出される。排気口１３０は、第２ラック６０の上方に配置される。排気口１３０は、Ｘ軸方向に配置される。排気ダクト１０５は、空気調和装置１００に向けて気体を排出する導出口１３１を有する。導出口１３１に、排気ダクト１０５から空気調和装置１００への気体の流量を調整するバタフライ弁を含む流量調整機構１３２が設けられている。
【００８２】
次に、第１ファン装置４７及び第２ファン装置７７について説明する。図３及び図４に示すように、第１ラック列３５に配置された第１蓄電池モジュール４５の第１ファン装置４７は、第１ラック列３５の第１ラック３０と第２ラック列６５の第２ラック６０との隙間４０に面するように配置される。第１ラック列３５の流入口４８は、隙間３８に面するように、第１通路４６の−Ｙ側の端部に配置され、第１ラック列３５の流出口４９は、隙間４０に面するように、第１通路４６の＋Ｙ側の端部に配置される。第１ファン装置４７は、流出口４９に配置され、第１通路４６の気体を隙間４０に排出するように作動する。
【００８３】
第１ラック列３６に配置された第１蓄電池モジュール４５の第１ファン装置４７は、第１ラック列３６の第１ラック３０と第２ラック列６５の第２ラック６０との隙間４１に面するように配置される。第１ラック列３６の流入口４８は、隙間３９に面するように、第１通路４６の＋Ｙ側の端部に配置され、第１ラック列３６の流出口４９は、隙間４１に面するように、第１通路４６の−Ｙ側の端部に配置される。第１ファン装置４７は、流出口４９に配置され、第１通路４６の気体を隙間４１に排出するように作動する。
【００８４】
第１ラック列３５の第１ファン装置４７が作動することによって、給気ダクト１０１の給気口１１１から隙間３８に供給された気体の少なくとも一部は、第１ラック列３５の第１通路４６を介して、第１ラック列３５の第１ラック３０と第２ラック列６５の第２ラック６０との間の隙間４０に供給される。すなわち、第１ラック列３５の第１ファン装置４７は、給気ダクト１０１からの気体が第１ラック３０と第２ラック６０との間の隙間４０に供給されるように、気体の流れを生成することができる。
【００８５】
第１ラック列３６の第１ファン装置４７が作動することによって、給気ダクト１０２の給気口１１５から隙間３９に供給された気体の少なくとも一部は、第１ラック列３６の第１通路４６を介して、第１ラック列３６の第１ラック３０と第２ラック列６５の第２ラック６０との間の隙間４１に供給される。すなわち、第１ラック列３６の第１ファン装置４７は、給気ダクト１０２からの気体が第１ラック３０と第２ラック６０との間の隙間４１に供給されるように、気体の流れを生成することができる。
【００８６】
図４及び図５に示すように、第２ラック列６５に配置された第２蓄電池モジュール７５の第２ファン装置７７は、第１ラック３０と対向しないように配置される。本実施形態において、第１ファン装置４７を含む第１蓄電池モジュール４５と、第２ファン装置７７を含む第２蓄電池モジュール７５とは、ほぼ同一の構造である。第２蓄電池モジュール７５は、第１蓄電池モジュール４５をＸＹ平面内において約９０度回転させた態様で、第２ラック６０に配置される。すなわち、本実施形態において、第１ファン装置４７のファンの回転軸と第２ファン装置７７のファンの回転軸とがＸＹ平面内において直交する。本実施形態において、第１ファン装置４７のファンの回転軸は、Ｙ軸と平行である。第２ファン装置７７のファンの回転軸は、Ｘ軸と平行である。
【００８７】
図７は、第２ラック６０及びその第２ラック６０に配置されている第２蓄電池モジュール７５を拡大した図である。図７は、第２ファン装置７７の作動により生成される気体の流れの一例を模式的に示す。図７に示すように、第２ラック列６５の第２ファン装置７７が作動することによって、第１ラック列３５の第１ラック３０から隙間４０に供給された気体の少なくとも一部が、第２ラック６０の側部から第２ラック６０に流入する。また、第２ラック列６５の第２ファン装置７７が作動することによって、第１ラック列３６の第１ラック３０から隙間４１に供給された気体の少なくとも一部が、第２ラック６０の側部から第２ラック６０に流入する。すなわち、第２ラック列６５の第２ファン装置７７は、第１ラック３０からの気体が第２ラック６０の側部から第２ラック６０に流入するように、気体の流れを生成することができる。
【００８８】
本実施形態において、第２ラック６０は、第１ラック３０と対向しないように、−Ｘ方向を向く第１側部と、＋Ｘ方向を向く第２側部とを有する。本実施形態においては、第２ラック６０の第１側部に流出口７９が設けられ、第２ラック６０の第２側部に流入口７８が設けられる。すなわち、流入口７８は、第２通路７６の＋Ｘ側の端部に配置され、流出口７９は、第２通路７６の−Ｘ側の端部に配置される。第２ファン装置７７は、流出口７９に配置され、第２通路７６の気体を第２ラック６０の−Ｘ側の空間に排出するように作動する。
【００８９】
本実施形態において、第２ラック６０の第２側部（流入口７８）と対向するように板部材７０が配置される。板部材７０は、流入口７８を塞がないように、第２ラック６０と間隙を介して対向する。隙間４０の気体及び隙間４１の気体は、板部材７０と第２ラック６０との間から、第２ラック６０に流入する。第２ラック６０に流入した気体は、第２通路７６を流れる。
【００９０】
第２ラック６０の第２通路７６を通過した気体は、第２ファン装置７７が配置されている第２ラック６０の第１側部（流出口７９）から排出される。第２ラック６０の上方には、排気ダクト１０５の排気口１３０が配置される。第２ラック６０から排出された気体は、第２ラック６０の上方に配置された排気ダクト１０５の排気口１３０に取り込まれて排出される。
【００９１】
図５に示すように、第２ラック６０は、Ｘ軸方向に複数配置され、第２ラック６０の第１側部（流出口７９）と、その第２ラック６０に隣接する第２ラック６０の板部材７０とが対向する。したがって、第２ラック６０の流出口７９から排出された気体が、隣接する第２ラック６０の流入口７８に供給されてしまうことが抑制される。
【００９２】
本実施形態においては、第２ラック６０の上端部は、第１ラック３０の上端部よりも低い位置に配置されており、第２ラック６０と排気口１３０との間の空間が大きくなっている。そのため、排気口１３０からの気体の排出動作が円滑に行われる。
【００９３】
次に、本実施形態に係る蓄電装置１０における冷却方法について説明する。第１蓄電池モジュール４５及び第２蓄電池モジュール７５は、充放電を行うと発熱し、また、外気温の影響によっても温度が変化する。そのため、第１蓄電池モジュール４５及び第２蓄電池モジュール７５のそれぞれを冷却するために、蓄電装置１０において、空気調和装置１００より冷却された気体が、導入口１１２から給気ダクト１０１に導入されるとともに、導入口１１６から給気ダクト１０２に導入される。
【００９４】
給気ダクト１０１に導入された気体は、給気口１１１から隙間３８に対してカーテン状に供給される。第１ラック列３５の第１ファン装置４７の作動により、隙間３８の気体が第１ラック列３５の流入口４８から第１通路４６に流入する。第１通路４６に流入した気体と第１蓄電池モジュール４５とが熱交換されることにより、第１ラック列３５の第１蓄電池モジュール４５は冷却される。第１ラック列３５の第１通路４６を流れた気体は、第１ラック列３５の流出口４９を介して隙間４０に供給される。
【００９５】
また、給気ダクト１０２に導入された気体は、給気口１１５から隙間３９に対してカーテン状に供給される。第１ラック列３６の第１ファン装置４７の作動により、隙間３９の気体が第１ラック列３６の流入口４８から第１通路４６に流入する。第１通路４６に流入した気体と第１蓄電池モジュール４５とが熱交換されることにより、第１ラック列３６の第１蓄電池モジュール４５は冷却される。第１ラック列３６の第１通路４６を流れた気体は、第１ラック列３６の流出口４９を介して隙間４１に供給される。
【００９６】
第１蓄電池モジュール４５を冷却し、隙間４０及び隙間４１に供給された気体は、第２ラック６０の第２ファン装置７７の作動により、第２ラック６０の第２側部に設けられた流入口７８から第２ラック６０の第２通路７６に流入する。本実施形態においては、第２ラック６０の第２側部と対向するように板部材７０が配置され、第２ファン装置７７は、第２ラック６０の第１側部に設けられた流出口７９に配置される。第２ファン装置７７は、第２通路７６の気体を、第１側部の流出口７９から排出するように作動する。第２ファン装置７７が作動することによって、第２流路７６には、第２側部（流入口７８）から第１側部（流出口７９）に向かう気体の流れが生成される。これにより、隙間４０及び隙間４１の気体の少なくとも一部は、第２側部の流入口７８から第２通路７６に流入する。
【００９７】
本実施形態においては、第２側部と対向するように板部材７０が配置されているため、第２側部から第２ラック６０に流入する気体の流れが整えられる。
【００９８】
第２通路７６に流入した気体と第２蓄電池モジュール７５とが熱交換されることにより、第２ラック６０の第２蓄電池モジュール７５は冷却される。第２ラック６０の第２通路７６を流れた気体は、第２ラック６０の流出口７９から流出する。
【００９９】
流出口７９と対向するように板部材７０が配置されているため、隣接する２つの第２ラック６０のうち、一方の第２ラック６０の流出口７９から排出された気体が、他方の第２ラック６０の流入口７８に直接的に供給されることが抑制される。流出口７９から排出された気体は、第２ラック６０の上方に配置されている排気ダクト１０５の排気口１３０から排出される。
【０１００】
排気口１３０から排出された気体は、排気ダクト１０５を介して、空気調和装置１００に導入されて冷却された後、再び給気ダクト１０１及び給気ダクト１０２に導入される。以下、上述したように気体が流れることによって、コンテナ１１の内部空間ＳＰに配置されている第１蓄電池モジュール４５及び第２蓄電池モジュール７５が冷却される。
【０１０１】
以上説明したように、本実施形態によれば、内部空間ＳＰを有するコンテナ１１と、内部空間ＳＰにおいてコンテナ１１の内壁面１８ａ、１９ａと対向するように配置され、複数段の棚部３１を有する第１ラック３０と、第１ラック３０の棚部３１のそれぞれに配置される複数の第１蓄電池モジュール４５と、第１ラック３０よりも内部空間ＳＰの中央部側に配置され、複数段の棚部６１を有する第２ラック６０と、第２ラック６０の棚部６１のそれぞれに配置される複数の第２蓄電池モジュール７５と、第１蓄電池モジュール４５に配置され、内壁面１８ａ、１９ａと第１ラック３０との隙間３８、３９の気体が第１ラック３０と第２ラック６０との隙間４０、４１に供給されるように気体の流れを生成する第１ファン装置４７と、第２蓄電池モジュール７５に配置され、第１ラック３０からの気体が第２ラック６０の側部から第２ラック６０に流入するように気体の流れを生成する第２ファン装置７７と、が設けられる。
【０１０２】
したがって、給気ダクト１０１、１０２から内壁面１８ａ、１９ａと第１ラック３０との隙間３８、３９に供給された気体は、第１ファン装置４７により、第１ラック３０の第１通路４５を流れて、第１ラック３０と第２ラック６０との隙間４０、４１に供給される。これにより、第１ラック３０の棚部３１に配置されている複数の第１蓄電池モジュール４５が効率良く冷却される。第１ラック３０と第２ラック６０との隙間４０、４１に供給された気体は、第２ファン装置７７により、第２ラック６０の側部に設けられた流入口４８から第２ラック６０に流入し、第２ラック６０の第２通路７６を流れる。これにより、第２ラック６０の棚部６１に配置されている複数の第２蓄電池モジュール７５が効率良く冷却される。このように、本実施形態によれば、コンテナ１１は多数の蓄電池モジュール４５、７５を収容可能であり、そのコンテナ１１の第１ラック３０及び第２ラック６０に気体が供給されることによって、コンテナ１１の内部空間ＳＰに配置される複数の蓄電池モジュール４５、７５が効率良く冷却される。
【０１０３】
また、本実施形態においては、第１ファン装置４７は、第１ラック３０と第２ラック６０との隙間４０、４１に面するように配置され、第２ファン装置７７は、第１ラック３０と対向しないように配置される。したがって、第１ファン装置４７により、第１ラック３０を通過して第１ラック３０と第２ラック６０との隙間４０、４１に流出した気体は、第２ファン装置７７により、第２ラック６０に流入して第２蓄電池モジュール７５と十分に熱交換を行って、第２蓄電池モジュール７５を効率良く冷却することができる。
【０１０４】
また、本実施形態においては、第２ラック６０の上方から内部空間ＳＰの気体が排出され、第２ラック６０の上端部は、第１ラック３０の上端部よりも低い位置に配置されている。したがって、第２ラック６０の上方の空間が大きくなるため、第２ラック６０の上方から気体が円滑に排出される。
【０１０５】
また、本実施形態においては、第２ラック６０は、第１ラック３０と対向しないように、コンテナ１１の底面１５ａと平行なＸＹ平面内の−Ｘ方向を向く第１側部と、＋Ｘ方向を向く第２側部とを有し、第２ファン装置７７は、第１側部の流出口７９に配置される。また、本実施形態において、第２側部の流入口７８と対向するように板部材７０が配置される。したがって、板部材７０により、第２ラック６０の第２側部の流入口７８から第２ラック６０の第２通路７６に流入する気体の流れが整えられ、第２ラック６０の棚部６１に配置されている第２蓄電池モジュール７５は効率良く冷却される。
【０１０６】
また、本実施形態においては、第１ラック３０は、Ｙ軸方向に関して第２ラック６０の両側に配置され、第２ラック６０は、Ｘ軸方向に複数配置されている。したがって、コンテナ１１の内部空間ＳＰに多数の蓄電池モジュール４５、７５を配置することができる。
【０１０７】
また、本実施形態においては、第２蓄電池モジュール７５は、Ｙ軸方向に複数配置されている。したがって、コンテナ１１の内部空間ＳＰに多数の第２蓄電池モジュール７５を配置することができる。
【０１０８】
また、本実施形態によれば、第１ラック３０の上方に配置され、内壁面１８ａ、１９ａと第１ラック３０との隙間３８、３９に気体を供給可能な給気口１１１、１１５を有する給気ダクト１０１、１０２と、給気ダクト１０１、１０２に気体を供給する空気調和装置１００と、第２ラック６０の上方に配置され、第２ラック６０からの気体を排出する排気口１３０を有する排気ダクト１０５とが設けられている。したがって、空気調和装置１００からの冷却用の気体が、給気ダクト１０１、１０２の給気口１１１、１１５を介して、内壁面１８ａ、１９ａと第１ラック３０との隙間４０、４１に供給されるため、第１ファン装置４７及び第２ファン装置７７の作動により、複数の蓄電池モジュール４５、７５が良好に冷却される。また、複数の蓄電池モジュール４５、７５のそれぞれを冷却し、第２ラック６０から排出された気体は、排気口１３０を有する排気ダクト１０５から円滑に排出される。
【０１０９】
＜第２実施形態＞
第２実施形態について説明する。以下の説明において、上述の実施形態と同一又は同等の構成部分については同一の符号を付し、その説明を簡略又は省略する。
【０１１０】
図８は、本実施形態に係る蓄電装置１０Ｂの一例を示す模式図である。図８に示すように、蓄電装置１０Ｂは、コンテナ１１の底面１５ａと平行なＸＹ平面内において第２ラック６０をガイドするガイド装置８０を備えている。ガイド装置８０は、底面１５ａに配置されたガイドレールを含み、第２ラック６０を所定方向にガイドする。本実施形態において、ガイド装置８０は、第２ラック６０をＸ軸方向にガイドする。なお、ガイド装置８０は、第２ラック６０をＹ軸方向にガイドしてもよい。
【０１１１】
以上説明したように、本実施形態によれば、ガイド装置８０により、第２ラック６０を円滑に移動することができる。したがって、例えば、メンテナンスにおいて、ガイド装置８０を使って第２ラック６０を円滑に移動できるため、メンテナンスの作業性を向上することができる。
【０１１２】
＜第３実施形態＞
第３実施形態について説明する。以下の説明において、上述の実施形態と同一又は同等の構成部分については同一の符号を付し、その説明を簡略又は省略する。
【０１１３】
図９は、本実施形態に係る蓄電装置１０Ｃの一例を示す模式図である。本実施形態において、第２ラックは設けられない。
【０１１４】
蓄電装置１０Ｃは、内部空間ＳＰを有するコンテナ１１と、内部空間ＳＰにおいてコンテナ１１の内壁面１８ａ、１９ａと対向するように配置され、複数段の棚部３１を有する端部側第１ラック３０Ａと、Ｙ軸方向に関して、端部側第１ラック３０Ａと内部空間ＳＰの中心との間に配置され、複数段の棚部３１を有する中央部側第１ラック３０Ｂと、端部側第１ラック３０Ａの棚部３１及び中央部側第１ラック３０Ｂの棚部のそれぞれに配置される複数の蓄電池モジュール４５と、端部側第１ラック３０Ａの蓄電池モジュール４７に配置され、内壁面１８ａ、１９ａと端部側第１ラック３０Ａとの隙間３８、３９の気体が中央部側第１ラック３０Ｂに供給されるように気体の流れを生成する端部側ファン装置４５Ａと、中央部側第１ラック３０Ｂの蓄電池モジュール４５に配置され、端部側第１ラック３０Ａからの気体が内部空間ＳＰの中心を含む内部空間ＳＰの中央空間４００に流出するように気体の流れを生成する中央部側ファン装置４７Ｂとを備えている。
【０１１５】
上述の実施形態と同様、蓄電装置１０Ｃは、給気ダクト１０１、１０２と、空気調和装置１００と、排気ダクト１０５とを備えている。給気ダクト１０１から隙間３８に気体が供給され、給気ダクト１０２から隙間３９に気体が供給される。中央空間４００の上方に排気口１３０を有する排気ダクト１０５が配置され、中央部側第１ラック３０Ｂから排出された気体は、排気口１３０から排出される。
【０１１６】
以上説明したように、本実施形態によれば、内壁面１８ａ、１９ｂと端部側第１ラック３０Ａとの隙間３８、３９に供給された気体は、端部側ファン装置４７Ａにより、端部側第１ラック３０Ａを通過して、中央部側第１ラック３０Ｂに供給される。これにより、端部側第１ラック３０Ａの棚部３１に配置されている複数の蓄電池モジュール４５が効率良く冷却される。中央部側第１ラック３０Ｂに供給された気体は、中央部側ファン装置４７Ｂにより、中央部側第１ラック３０Ｂを通過して、中央空間４００に流出する。これにより、中央部側第１ラック３０Ｂの棚部３１に配置されている複数の蓄電池モジュール４５が効率良く冷却される。このように、本実施形態においても、コンテナ１１は多数の蓄電池モジュール４５を収容可能であり、そのコンテナ１１の端部側第１ラック３０Ａ及び中央部側第１ラック３０Ｂに気体が供給されることによって、コンテナ１１の内部空間ＳＰに配置される複数の蓄電池モジュール４５が効率良く冷却される。また、端部側第１ラック３０Ａの蓄電池モジュール４５を冷却した気体で中央部側第１ラック３０Ｂの蓄電池モジュール４５を冷却するため、端部側第１ラック３０Ａの蓄電池モジュールを冷却した気体を有効活用することができる。
【０１１７】
＜第４実施形態＞
第４実施形態について説明する。以下の説明において、上述の実施形態と同一又は同等の構成部分については同一の符号を付し、その説明を簡略又は省略する。
【０１１８】
図１０は、本実施形態に係る蓄電装置１０Ｄの一例を示す模式図である。本実施形態に係る蓄電装置１０Ｄは、第３実施形態で説明した蓄電装置１０Ｃの変形例である。
【０１１９】
蓄電装置１０Ｄは、端部側第１ラック３０Ａ及び中央部側第１ラック３０Ｂを備えている。端部側第１ラック３０Ａ及び中央部側第１ラック３０Ｂのそれぞれは、Ｙ軸方向に関して中央空間４００の両側に配置されている。なお、上述の実施形態と同様、蓄電装置１０Ｄは、給気ダクト１０１、１０２と、空気調和装置１００と、排気ダクト１０５とを備えている。
【０１２０】
本実施形態において、蓄電装置１０Ｄは、中央空間４００に配置される板部材８１を備えている。板部材８１は、内部空間ＳＰを２つの空間ＳＰ１及び空間ＳＰ２に分ける。空間ＳＰ１に、一方の端部側第１ラック３０Ａ及び中央部側第１ラック３０Ｂが配置され、空間ＳＰ２に、他方の端部側第１ラック３０Ａ及び中央部側第１ラック３０Ｂが配置される。板部材８１は、空間ＳＰ１と空間ＳＰ２との間において気体が流通しないように、中央空間４００に配置される。
【０１２１】
空間ＳＰ１に配置されている中央部側第１ラック３０Ｂから排出された気体は、空間ＳＰ２に移動することなく、−Ｙ方向を向く板部材８１の表面にガイドされながら、上方に移動し、排気口１３０から回収される。空間ＳＰ２に配置されている中央部側第１ラック３０Ｂから排出された気体は、空間ＳＰ１に移動することなく、＋Ｙ方向を向く板部材８１の表面にガイドされながら、上方に移動し、排気口１３０から回収される。
【０１２２】
以上説明したように、本実施形態によれば、板部材８１により、中央空間４００の両側の中央部側第１ラック３０Ｂのそれぞれから流出した気体の流れが整えられ、気体は排気口１３０から円滑に回収され、複数の蓄電池モジュール４５は効率良く冷却される。
【０１２３】
＜第５実施形態＞
第５実施形態について説明する。以下の説明において、上述の実施形態と同一又は同等の構成部分については同一の符号を付し、その説明を簡略又は省略する。
【０１２４】
図１１は、本実施形態に係る蓄電装置１０Ｅの一例を示す模式図である。本実施形態に係る蓄電装置１０Ｅは、給気ダクト、空気調和装置、及び排気ダクト１０５を有しない。
【０１２５】
本実施形態において、蓄電装置１０Ｅのコンテナ１１Ｅは、空気調和設備９０を有する施設に設置される。コンテナ１１Ｅの上部には、空気調和設備９０の少なくとも一部が配置される開口９１が形成される。
【０１２６】
開口９１に配置される空気調和設備９０は、その空気調和設備９０の室内機を含む。空気調和設備９０は、冷却用気体を気体吹出口９２と、気体を回収する気体回収口９３とを有する。少なくとも、気体吹出口９２及び気体回収口９３が内部空間ＳＰに面するように、開口９１の内側に配置される。気体吹出口９２から内部空間ＳＰに冷却用気体が供給されることによって、蓄電池モジュール４５が冷却される。蓄電池モジュール４５を冷却した内部空間ＳＰの気体は、気体回収口９３から回収される。
【０１２７】
本実施形態において、蓄電装置１０Ｅは、気体吹出口９２から供給された気体をガイドするガイド部材９４を備えている。ガイド部材９４は、気体吹出口９２からの気体が隙間３８、３９に供給されるように、その気体をガイドする。
【０１２８】
以上説明したように、本実施形態においては、コンテナ１１Ｅが設置される施設の空気調和設備９０を有効活用して、蓄電池モジュール４５を冷却することができる。例えば、蓄電池モジュール４５の充放電条件が緩やかな場合など、蓄電池モジュール４５の発熱量が小さい場合、空気調和設備９０を使って、蓄電池モジュール４５を十分に冷却することができる。本実施形態によれば、蓄電装置１０Ｅの大型化、構造の複雑化、及び製造コストの増大などを抑制することができる。
【０１２９】
また、本実施形態においては、開口９１の内側に空気調和設備９０の気体吹出口９２が配置され、気体吹出口９２からの気体をガイドするガイド部材９４が設けられている。したがって、ガイド部材９４を使って、気体吹出口９２からの冷却用気体を任意の方向に供給することができ、蓄電池モジュール４５を効率良く冷却することができる。
【０１３０】
＜第６実施形態＞
第６実施形態について説明する。以下の説明において、上述の実施形態と同一又は同等の構成部分については同一の符号を付し、その説明を簡略又は省略する。
【０１３１】
図１２は、本実施形態に係る蓄電装置１０Ｆの一例を示す模式図である。本実施形態に係る蓄電装置１０Ｆは、第１実施形態で説明した蓄電装置１０と、第３実施形態で説明した蓄電装置１０Ｃと、第５実施形態で説明した蓄電装置１０Ｅとを組み合わせた形態を有する。
【０１３２】
蓄電装置１０Ｆは、第１ラック３０と第２ラック６０とを有する。第１ラック３０は、内壁面１８ａと第２ラック６０との間において、Ｙ軸方向に複数配置されている。また、第１ラック３０は、内壁面１９ａと第２ラック６０との間において、Ｙ軸方向に複数配置されている。すなわち、内壁面１８ａと第２ラック６０との間に、内壁面１８ａと対向する端部側第１ラック３０Ａと、第２ラック６０との間で隙間４０を形成する中央部側第１ラック３０Ｂとが配置されている。内壁面１９ａと第２ラック６０との間に、内壁面１９ａと対向する端部側第１ラック３０Ａと、第２ラック６０との間で隙間４１を形成する中央部側第１ラック３０Ｂとが配置されている。
【０１３３】
端部側第１ラック３０Ａの第１ファン装置４７Ａは、内壁面１８ａ、１９ａと端部側第１ラック３０Ａとの隙間３８、３９の気体が中央部側第１ラック３０Ｂに供給されるように気体の流れを生成し、中央部側第１ラック３０Ｂの第１ファン装置４７Ａは、端部側第１ラック３０Ａからの気体が第２ラック６０との隙間４０、４１に供給されるように気体の流れを生成する。
【０１３４】
また、蓄電装置１０Ｆは、空気調和設備９０を有する施設に設置され、コンテナ１１Ｅの上部には、空気調和設備９０の少なくとも一部が配置される開口９１が形成される。開口９１の内側には、空気調和設備９０の気体吹出口９２及び気体回収口９３が配置される。
【０１３５】
また、蓄電装置１０Ｆは、気体吹出口９２からの気体をガイドするガイド部材９４Ｆを有する。ガイド部材９４Ｆは、気体吹出口９２からの気体が隙間３８、３９に供給されるように、その気体をガイドする。本実施形態において、ガイド部材９４Ｆは、気体吹出口９２からの気体が隙間３８、３９に供給され、隙間４０、４１には供給されないように、気体吹出口９２からの気体をガイドする。
【０１３６】
以上説明したように、本実施形態においても、コンテナ１１Ｅの内部空間ＳＰに多数の蓄電池モジュール４５、７５を配置することができる。また、端部側第１ラック３０Ａの第１蓄電池モジュール４５を冷却した気体で中央部側第１ラック３０Ｂの第１蓄電池モジュール４５を冷却するため、端部側第１ラック３０Ｂの第１蓄電池モジュール４５を冷却した気体を有効活用することができる。また、第１蓄電池モジュール４５を冷却した気体で第２蓄電池モジュール４５を冷却するため、第１蓄電池モジュール４５を冷却した気体を有効活用することができる。
【０１３７】
また、本実施形態においても、コンテナ１１Ｅが設置される施設の空気調和設備９０を有効活用して、蓄電池モジュール４５、７５を冷却することができ、蓄電装置１０Ｆの大型化、構造の複雑化、及び製造コストの増大などを抑制することができる。
【０１３８】
また、本実施形態においても、ガイド部材９４Ｆを使って、気体吹出口９２からの冷却用気体を任意の方向に供給することができ、蓄電池モジュール４５、７５を効率良く冷却することができる。
【符号の説明】
【０１３９】
１０  蓄電装置
１１  コンテナ（筐体）
１８ａ  内壁面
１９ａ  内壁面
３０  第１ラック
３１  棚部
３５  第１ラック列
３６  第１ラック列
３８  隙間
３９  隙間
４０  隙間
４１  隙間
４５  第１蓄電池モジュール
４６  第１通路
４７  第１ファン装置
４８  流入口
４９  流出口
６０  第２ラック
６１  棚部
６５  第２ラック列
７５  第２蓄電池モジュール
７６  第２通路
７７  第２ファン装置
７８  流入口
７９  流出口
１００  空気調和装置
１０１  給気ダクト
１０２  給気ダクト
１０５  排気ダクト
１１１  給気口
１１５  給気口
１３０  排気口
【図１】
0006005030.tif 000002
【図２】
0006005030.tif 000003
【図３】
0006005030.tif 000004
【図４】
0006005030.tif 000005
【図５】
0006005030.tif 000006
【図６】
0006005030.tif 000007
【図７】
0006005030.tif 000008
【図８】
0006005030.tif 000009
【図９】
0006005030.tif 000010
【図１０】
0006005030.tif 000011
【図１１】
0006005030.tif 000012
【図１２】
0006005030.tif 000013